(57)【要約】【課題】自然換気用窓に障子開閉装置を取り付ける場合に、障子開閉装置を外部から隠蔽し見栄えを良好にするとともに、塵や埃などの付着や虫の侵入などを防止する。【解決手段】下枠又は無目の室内側に、前記障子３を閉状態から開状態とする開操作及び／又は障子３を開状態から閉状態とする閉操作を行う障子開閉装置４０を取り付けた自然換気用窓１Ａにおいて、前記障子開閉装置４０の下面及び正面を覆うためのカバー材４１を取り付けるとともに、該カバー材４１の両端面に端部蓋４３，４３を取付けることによって、前記障子開閉装置４０を外部から隠蔽する。【選択図】図２
2011026790.tif 000002
【特許請求の範囲】
【請求項１】
建物の外壁に取り付けられる窓枠と、この窓枠に収容され下框側が外部へ向って辷り出して開くとともに、開窓時に力の釣り合いが取れた平衡状態で静止状態を保持し、この静止状態から外部側又は内部側からの風圧によって自動的に開度を調整する障子とからなる自然換気用窓において、
前記自然換気用窓の下枠又は無目の室内側に、前記障子を閉状態から開状態とする開操作及び／又は障子を開状態から閉状態とする閉操作を行う障子開閉装置を取り付け、
前記障子開閉装置の下面及び正面を覆うためのカバー材を取り付けるとともに、該カバー材の両端面に端部蓋を取付け、前記障子開閉装置を隠蔽したことを特徴とする自然換気用窓。
【請求項２】
建物の外壁に取り付けられる窓枠と、この窓枠に収容され下框側が外部へ向って辷り出して開くとともに、開窓時に力の釣り合いが取れた平衡状態で静止状態を保持し、この静止状態から外部側又は内部側からの風圧によって自動的に開度を調整する障子とからなる自然換気用窓において、
前記自然換気用窓の下枠又は無目の室内側に、前記障子を閉状態から開状態とする開操作及び／又は障子を開状態から閉状態とする閉操作を行う障子開閉装置を取り付け、
前記障子開閉装置の下面及び正面を覆うためのカバー材を取り付けるとともに、該カバー材の一方側端面に端部蓋を取付けるか方立の側面によって塞ぎ、かつ他方側端面を方立の側面によって塞ぎ、前記障子開閉装置を隠蔽したことを特徴とする自然換気用窓。
【請求項３】
前記カバー材に前記障子開閉装置の上面を覆う上面材を設けてある請求項１，２いずれかに記載の自然換気用窓。
【請求項４】
前記上面材に網戸下端側の固定部を設けてある請求項３記載の自然換気用窓。
【発明の詳細な説明】
【技術分野】
【０００１】
本発明は、風圧によって開度を自動調節しながら、風力換気や重力換気などの自然換気を行うための窓に関する。
【背景技術】
【０００２】
近年、シックハウス対策等のために室内換気を頻繁に行うことが推奨されている。換気方法は、自然換気と機械換気に大別される。そして、前者の自然換気は、風力換気と重力換気とに分類される。風力換気は、室内の異なった面の２つの窓を開放し、風上側では正圧、風下側では負圧が生じることを利用して、換気を図るものであり、重力換気は、暖められた空気は軽くなって上昇する原理を利用して換気を図るものである。
【０００３】
前記自然換気を行う窓として、例えば下記特許文献１では、建屋の外部に面して取り付けられる窓枠と、窓枠に納まり窓を閉めた状態と窓枠から外部へ向って辷り出して開く障子を有する自然風力換気窓であって、窓枠の両側の堅枠と、障子の竪框間に夫々設けられ竪框上部に一端が枢着され他端が前記一端よりも低い位置において堅枠に枢着された短い長さのメインアームと、竪框中間部に一端が枢着され他端が竪枠下部に枢着されメインアームよりも長い長さのサブアームとを有し、障子を閉めた状態において、各アームは夫々ほぼ垂直方向を向いて、各アームの竪框への枢着位置が各アームの竪枠への枢着位置の上方に位置し、且つ、各アームの竪枠への枢着位置が障子の重心よりも室内側にあって、無風時には障子の重量によって緩やかに開窓し、開窓時には外部側から障子に向って吹く風によって閉窓する自然風力換気窓が提案されている。
【先行技術文献】
【特許文献】
【０００４】
【特許文献１】特許第３７７４７４１号公報
【発明の概要】
【発明が解決しようとする課題】
【０００５】
しかしながら、上記特許文献１記載のような自然風力換気窓の場合は、一般的に人の手の届かないような比較的高所に設けられることが多いため、障子の開閉操作を自動化するための障子開閉装置が設けられることがある。しかしながら、この障子開閉装置は、下枠又は無目の室内側に突出して設けられるため、室内及び室外から見たとき、該障子開閉装置が見栄えを悪くするといった問題があった。また、自然風力換気窓は、開窓時（自然換気状態時）に前記障子開閉装置に塵や埃が付着したり、虫などが侵入するのを防止できない問題があった。
【０００６】
そこで本発明の主たる課題は、建物の外壁に取り付けられる窓枠と、この窓枠に収容され下框側が外部へ向って辷り出して開くとともに、開窓時に力の釣り合いが取れた平衡状態で静止状態を保持し、この静止状態から外部側又は内部側からの風圧によって自動的に開度を調整する障子とからなる自然換気用窓において、前記自然換気用窓の下枠又は無目の室内側に、前記障子を閉状態から開状態とする開操作及び／又は障子を開状態から閉状態とする閉操作を行う障子開閉装置を取り付ける場合に、前記障子開閉装置を外部から隠蔽し見栄えを良好にするとともに、塵や埃などの付着や虫の侵入などを防止すること等にある。
【課題を解決するための手段】
【０００７】
前記課題を解決するために請求項１に係る本発明として、建物の外壁に取り付けられる窓枠と、この窓枠に収容され下框側が外部へ向って辷り出して開くとともに、開窓時に力の釣り合いが取れた平衡状態で静止状態を保持し、この静止状態から外部側又は内部側からの風圧によって自動的に開度を調整する障子とからなる自然換気用窓において、
前記自然換気用窓の下枠又は無目の室内側に、前記障子を閉状態から開状態とする開操作及び／又は障子を開状態から閉状態とする閉操作を行う障子開閉装置を取り付け、
前記障子開閉装置の下面及び正面を覆うためのカバー材を取り付けるとともに、該カバー材の両端面に端部蓋を取付け、前記障子開閉装置を隠蔽したことを特徴とする自然換気用窓が提供される。
【０００８】
上記請求項１記載の発明においては、下枠又は無目の室内側に、前記障子を閉状態から開状態とする開操作及び／又は障子を開状態から閉状態とする閉操作を行う障子開閉装置を取り付けた自然換気用窓において、前記障子開閉装置の下面及び正面を覆うためのカバー材を取り付けるとともに、該カバー材の両端面に端部蓋を取付けることによって、前記障子開閉装置を外部から隠蔽するようにした。従って、窓の下方側から目視した際、下枠又は無目の室内側に突出して設けられた前記障子開閉装置を見えないようにしたことで見栄えが良好となる。さらに、開窓時（自然換気状態時）に前記障子開閉装置に塵や埃が付着したり、虫などが侵入するのを防止することができる。
【０００９】
請求項２に係る本発明として、建物の外壁に取り付けられる窓枠と、この窓枠に収容され下框側が外部へ向って辷り出して開くとともに、開窓時に力の釣り合いが取れた平衡状態で静止状態を保持し、この静止状態から外部側又は内部側からの風圧によって自動的に開度を調整する障子とからなる自然換気用窓において、
前記自然換気用窓の下枠又は無目の室内側に、前記障子を閉状態から開状態とする開操作及び／又は障子を開状態から閉状態とする閉操作を行う障子開閉装置を取り付け、
前記障子開閉装置の下面及び正面を覆うためのカバー材を取り付けるとともに、該カバー材の一方側端面に端部蓋を取付けるか方立の側面によって塞ぎ、かつ、前記障子開閉装置を隠蔽したことを特徴とする自然換気用窓が提供される。
【００１０】
上記請求項２記載の発明は、方立方式の連窓窓の場合の態様を示したものである。前記障子開閉装置の下面及び正面を覆うためのカバー材を取り付ける点は上記請求項１記載の発明と同様であるが、両端面の封鎖方法を、連窓窓の内、端部障子については、カバー材の一方側端面に端部蓋を取付け、他方側端面を方立の側面によって塞ぐようにし、中間部障子については、カバー材の一方側端面を方立の側面によって塞ぎ、かつ他方側端面を方立の側面によって塞ぐようにしたものである。
【００１１】
請求項３に係る本発明として、前記カバー材に前記障子開閉装置の上面を覆う上面材を設けてある請求項１，２いずれかに記載の自然換気用窓が提供される。
【００１２】
上記請求項３記載の発明では、カバー材に上面部を設けることで、塵や埃、虫の侵入をさらに確実に防止できるようになる。
【００１３】
請求項４に係る本発明として、前記上面材に網戸下端側の固定部を設けてある請求項３記載の自然換気用窓が提供される。
【００１４】
上記請求項４記載の発明は、前記上面材に網戸下端側の固定部を設けるようにしたものである。従って、必要に応じて網戸を任意かつ容易に設置することが可能となる。
【発明の効果】
【００１５】
以上詳説のとおり本発明によれば、建物の外壁に取り付けられる窓枠と、この窓枠に収容され下框側が外部へ向って辷り出して開くとともに、開窓時に力の釣り合いが取れた平衡状態で静止状態を保持し、この静止状態から外部側又は内部側からの風圧によって自動的に開度を調整する障子とからなる自然換気用窓において、前記自然換気用窓の下枠又は無目の室内側に、前記障子を閉状態から開状態とする開操作及び／又は障子を開状態から閉状態とする閉操作を行う障子開閉装置を取り付ける場合に、前記障子開閉装置を外部から隠蔽し見栄えを良好にするとともに、塵や埃などの付着や虫の侵入などを防止することができる。また、網戸を容易に取付け可能とすることで、虫を侵入を防止することができる。
【図面の簡単な説明】
【００１６】
【図１】自然換気用窓１の内観図である。
【図２】図１のII−II線矢視図（縦断面図）である。
【図３】図１のIII−III線矢視図（横断面図）である。
【図４】自然換気窓１Ａの側面部斜視図である。
【図５】障子３と窓枠２との連結状態を示す片側正面図である。
【図６】図５のVI−VI線矢視図である。
【図７】図５のVII−VII線矢視図である。
【図８】障子３と窓枠２との連結状態を示す縦断面図である。
【図９】図８のIX−IX線矢視図である。
【図１０】煽り止め装置１７を示す、(A)は平面図、(B)は正面図である。
【図１１】障子３の作動状態を説明するための閉窓状態図である。
【図１２】図１１のXII-XII線矢視図である。
【図１３】障子３の作動状態を説明するための開操作状態図である。
【図１４】図１３のXIV-XIV線矢視図である。
【図１５】障子３の作動状態を説明するための釣合状態図である。
【図１６】図１４のXVI-XVI線矢視図である。
【図１７】障子開閉装置４０の納まり構造の第２形態例を示す縦断面図である。
【図１８】縦骨方式の連窓窓におけるカバー材４１の取付け要領を示す斜視図である。
【図１９】方立方式の連窓窓におけるカバー材４１の取付け要領を示す斜視図である。
【発明を実施するための形態】
【００１７】
以下、本発明の実施の形態について図面を参照しながら詳述する。
〔自然換気用窓１の構造〕
図１は自然換気用窓１の内観図、図２は図１のII−II線矢視図、図３は図１のIII−III線矢視図、図４は自然換気窓１Ａの側面部斜視図である。
【００１８】
図１に示される窓は、上部側に自然換気窓１Ａが設置され、下部側に嵌め殺し窓１Ｂが設置された上下２段の段窓である。
【００１９】
前記自然換気窓１Ａは、窓枠に収容され下框側が外部へ向って辷り出して開くとともに、開窓時に力の釣り合いが取れた平衡状態で静止状態を保持し、この静止状態から外部側又は内部側からの風圧によって自動的に開度を調整する障子とからなるもので、図２に示されるように、下枠又は無目の室内側に、前記障子３を閉状態から下框側を外部へ向って押出して開状態とする開操作及び／又は障子３を開状態から下框側を窓枠側に引き込んで閉状態とする閉操作を行う障子開閉装置４０が取り付けられている。
【００２０】
〔自然換気窓１Ａの構造例〕
前記自然換気窓１Ａは、図１〜図３に示されるように、上枠２Ａ、下枠２Ｂ及び縦枠２Ｃ、２Ｄを四方組した窓枠２の内部側に、上框３Ａ、下框３Ｂ及び縦框３Ｃ、３Ｄを四方組し、内部にガラスＧを嵌め込んだ障子３を収容するとともに、障子３の下框３Ｂ側が外側に向かって辷り出して開くようにしたものである。
【００２１】
前記障子３の支持構造は、窓枠２の縦枠２Ｃ、２Ｄと障子３の縦框３Ｃ、３Ｄとの間に夫々、縦框３Ｃ、３Ｄの上部に一端が枢着され他端が前記一端よりも低い位置において縦枠２Ｃ、２Ｄに枢着された相対的に短い長さの上部側アーム４、４と、縦框３Ｃ、３Ｄの中間部に一端が枢着され他端が前記一端よりも低い位置において縦枠２Ｃ、２Ｄに枢着された相対的に長い長さの下部側アーム５、５とを有する。
【００２２】
以下、更に具体的に詳述する。
【００２３】
前記窓枠２は、アルミ合金からなる上枠２Ａ、下枠２Ｂ及び縦枠２Ｃ、２Ｄを四方組して枠体と成したものである。前記上枠２Ａ、下枠２Ｂ及び縦枠２Ｃ、２Ｄはそれぞれ、室内側寄り位置にシール保持片２ａ、２ｂ、２ｃ及び２ｄを備え、先端部に固形シール６を備えている。
【００２４】
前記障子３は、同じくアルミ合金からなる上框３Ａ、下框３Ｂ及び縦框３Ｃ、３Ｄを四方組し、内部にガラスＧを嵌合支持する。障子３を閉めた状態では、前記上框３Ａ、下框３Ｂ及び縦框３Ｃ、３Ｄの室内面側が前記固形シール６に当接することにより気水密性が保持されるようになっている。
【００２５】
図５に示されるように、縦框３Ｃ(３Ｄ)の側面に補強台座板７Ａ、７Ｂを配設するとともに、縦枠２Ｃ(２Ｄ)の内面側に補強台座板８を配設し、構造的補強を兼ねた枢着台座用部材を設置する。なお、設置に当たっては、窓部材を介した反対側に裏当材を配置して、ビス止めとしている。
【００２６】
前記上部側アーム４は、図６に示されるように、縦框３Ｃ(３Ｄ)側枢着点Ａとなる上部端が前記補強台座板７Ａに対して枢着され、縦枠２Ｃ(２Ｄ)側枢着点Ｂとなる下部端が前記補強台座板８に対して枢着されている。この際、前記上部側アーム４は閉状態において、図１１にも示されるように、縦框側枢着点Ａが縦枠側枢着点Ｂよりもシフト量Ｓ１だけ室外側に位置するとともに、前記縦枠側枢着点Ｂが障子の重心Ｋよりも室内側に位置している。
【００２７】
一方、前記下部側アーム５は、図７に示されるように、縦框３Ｃ(３Ｄ)側枢着点Ｃとなる上部端が前記補強台座板７Ａ、７Ｂに対して枢着され、縦枠２Ｃ(２Ｄ)側枢着点Ｄとなる下部端が前記補強台座板８に対して枢着されている。この際、前記下部側アーム５は、閉状態において、図１１にも示されるように、縦框側枢着点Ｃが縦枠側枢着点Ｄを通る鉛直線上か、前記上部側アーム４とは反対に室内側に僅かに偏倚させている。この偏倚量は、１〜１０mm、好ましくは１〜５mmとする。図示例では、縦框側枢着点Ｃが縦枠側枢着点Ｄよりも１mmだけ室内側に偏倚させている。
【００２８】
なお、前記下部側アーム５は、図５に示されるように、サイズの異なる窓に対しても適用可能なように、２つの部材をビスによって連結させて１本のアームを構成するようにしている。合わせ面にはギザ加工を施し、これらが噛合することにより縦ズレしないようになっている。
【００２９】
上記自然換気用窓１においては、図８に示されるように、前記下部側アーム５の縦框側枢着点Ｃよりも上部側となる縦枠位置に滑車９を設け、一端を前記下部側アーム５の縦框側枢着点Ｃに繋止させ、前記滑車９を巻回させたワイヤー１０の他端にバネ部材１１の一端を連結し、前記バネ部材１１の他端を上下方向に位置調整可能とした上下位置調整機構１２に連結している。前記バネ部材１１は、引張りバネとして機能し、ワイヤー１０を介して下部側アーム５の縦框側枢着点Ｃに、障子３の開度に応じて、ワイヤー方向に沿って障子３を閉める力となる引込み力Ｐを作用させる。
【００３０】
前記上下位置調整機構１２は、縦方向に配置された送りネジ部材１３と、この送りネジ部材１３に螺合させたナット状部材１４と、このナット状部材１４と共に移動するスライド部材１５とからなる送りネジ機構とされ、前記バネ部材１１の他端が前記スライド部材１５に連結されている。前記スライド部材１５は、送りネジ部材１３が縦方向に貫通する通孔を有するとともに、この通孔を横断する横溝内にナット状部材１４を回転自在に保持する構造となっており、前記ナット状部材１４を手動操作で回転させることにより、ナット状部材１４と共に一体的に上下動し、前記引込み力Ｐを調整できるようになっている。
【００３１】
一方、前記窓枠２の下枠２Ｂに対して、煽り止め装置１７を設けている。この煽り止め装置１７は、図１０に示されるように、窓枠２の下枠２Ｂに固定される下枠側金具１８と、障子３の下框３Ｂに固定される下框側金具１９と、これらを連結するアーム部材２０とからなる。前記下枠側金具１８は、スライドガイド２３と、このスライドガイド２３の両端部に夫々設けられた下枠２Ｂへの固定金具２１，２２と、前記スライドガイド２３を外嵌するように開窓始動側端部に設けられた第１バネ部材２４と、前記スライドガイド２３を外嵌するように開窓終動側端部に設けられた第２バネ部材２５と、前記スライドガイド２３に係合し、該スライドガイド２３に沿って移動自在とされるとともに、前記第１バネ部材２４と第２バネ部材２５との間に配置されたスライダー２６とからなる。前記下框側金具１９は、下框３Ｂへの固定金具２８と、アーム部材２０との間に介在されるコイルバネ３０とからなる。前記アーム部材の一端が、前記下枠側金具１８のスライダー２６に軸部材２７によって回動自在に枢着されるとともに、他端が前記下框側金具１９の固定金具２８に対してコイルバネ３０を間に介して回動自在に枢着されている。前記コイルバネ３０は、開窓に伴い下框３Ｂと下枠２Ｂとの間に生じる高低差を吸収するためのものである。
【００３２】
〔障子３の作動説明〕
（障子３の閉窓状態）
図１１及び図１２に示される閉窓状態では、前記上部側アーム４には、縦框側枢着点Ａに作用する障子自重ｗ（Ｗ／４）によって、縦枠側枢着点Ｂを中心として上部側アーム４を外側方向に回動させるモーメントＭ１（ｗ・Ｓ１）が発生する。また、前記下部側アーム５においては、鉛直に配向するか、或いは上部側アームとは逆に僅かに縦框側枢着点（上部側）を室内側に傾けた状態で配置しているため、下部側アーム５にはモーメントは発生しないか、僅かに室内側に回動させる方向のモーメントが発生するだけである。前記上部側アーム４に発生するモーメントＭ１は、下部側アームの縦框側枢着点Ｃを中心として、障子３の下框３Ｂ側を閉じる方向の力として作用するため、閉窓状態で障子３単独では閉状態を保持する構造となっている。なお、障子３は前記障子開閉装置４０により施錠状態が保持されている。
【００３３】
（障子３の開操作）
図１３及び図１４に示されるように、前記障子開閉装置４０により障子が解錠されると、前記煽り止め装置１７は、第１バネ部材２４がスライダー２６を障子開方向側に付勢するため、アーム部材２０が突き出されることによって障子３が開き始める。これに伴って、下部側アーム５が外側に傾き、下部側アーム５にも障子３を外側方向に回動させる開方向モーメントＭ２（ｗ・Ｓ２）が発生する。また、下部側アーム５の縦框側枢着点Ｃにワイヤ張力Ｐによって障子３を閉じる方向に作用させる閉方向モーメントＭ４（Ｐ・Ｓ４）が発生する。さらに、障子３の重心Ｋが下部側アーム５の縦框側枢着点Ｃよりも室外側に移動することによって、障子３を閉じる方向に作用させる閉方向モーメントＭ３（Ｗ・Ｓ３）が発生する。
【００３４】
前記下部側アーム５のモーメントＭ２の増加割合は、アーム長が長いため上部側アーム４よりも大きく、所定の開度（Ｌ１）になり、Ｍ２＞Ｍ１＋Ｍ３＋Ｍ４の関係が成立すると、それ以上は障子３を開く方向の力が閉じる方向の力よりも勝って障子３が自動的に開窓を始めるようになる。この段階で、前記煽り止め装置１７のスライダー２６は第１バネ部材２４から離れるようになっている。従って、前記煽り止め装置１７による障子下框３Ｂの押出し量は、障子３が自動的に開窓し始める位置に若干の余裕を持たせた量とするのがよい。
【００３５】
（障子３の釣合状態）
図１５及び図１６に示されるように、障子３が自動的に開窓し始め、所定の開度（Ｌ２）になると、障子３を閉める方向に作用する閉方向モーメントＭ１、Ｍ３、Ｍ４が増大し、障子３を開く方向に作用させる開方向モーメントＭ２と釣り合う。すなわち、ΣＭ１〜４＝０となって力の釣り合いが取れた平衡状態で静止状態を保持するようになる。
【００３６】
その後は、この静止状態で、障子３に掛かる外部側又は内部側からの風圧によって自動的に開度を調整するようになる。すなわち、外側から風圧（正圧）が掛かると、障子３が閉じる方向に回動し、障子３の開度を狭めることにより流入する風量を低減させる。その後に無風状態になると障子３は元の開度まで戻る。また、負圧が増大したり、室内側からの気流が増大すると、障子３が開く方向に回動し、障子３の開度を拡げることにより流入する風量を増大させる。その後に気流が減少したり負圧が掛からなくなると障子３は元の開度まで戻る。
【００３７】
また、自然換気状態で障子３が突風によって勢い良く閉められたとしても、前記スライダー２６が第１バネ部材２４に衝突し、衝撃力が緩和・吸収されるため、衝撃や衝撃音が緩和されるようになるとともに、前記第１バネ部材２４が障子３の下框３Ｂを外側に押し出すため、障子３は元の開度まで戻る。
【００３８】
さらに、自然換気状態で、障子３が開方向側に煽られたとしても、前記第２バネ部材２５によって衝撃力が緩和・吸収されるため、衝撃や衝撃音が緩和されるようになる。
【００３９】
（障子３の閉操作）
障子３を開窓状態から閉止状態としたい場合は、前記障子開閉装置４０により障子３の下框３Ｂを窓枠２側に引込み、そのまま施錠を図る。引込み構造としては、ワイヤー方式やアーム方式等を挙げることができる。
【００４０】
〔他の形態例〕
(1)上記形態例では、単一の窓について説明したが、横方向に障子３，３…を連接した連窓窓に対しても同様に適用することができる。この場合は、前記上下位置調整機構１２によって、障子３の開度を調整することにより、各障子３，３…を綺麗に整列させることが可能となる。
(2)上記自然換気用窓では、前記第１バネ部材２４及び第２バネ部材２５を異なるバネ弾性力、長さのものと取り換えることによって、付勢力の調整及び付勢力の作動範囲の調整が可能となる。
(3)上記形態例では、前記障子開閉装置４０は前記障子３を閉状態から下框側を外部へ向って押出して開状態とする開操作及び障子３を開状態から下框側を窓枠側に引き込んで閉状態とする閉操作を行うようにしたが、障子３が閉状態から自動的に開窓を始めるような換気窓の場合は、前記障子開閉装置４０は障子３を開状態から下框側を窓枠側に引き込んで閉状態とする閉操作のみを行う装置としてもよい。
【００４１】
〔障子開閉装置４０の納まり構造〕
前記障子開閉装置４０は、下枠又は無目の室内側に突出して設けられるため、本形態では、前記障子開閉装置４０をカバー材４１等によって外部から隠蔽するようにしてある。
【００４２】
前記窓枠２の室内側には、図２〜図４に示されるように、室内側に突出して膳板４２が周方向に沿って設けられている。前記カバー材４１は、下枠３Ｂ側の膳板４２の上面に設置され、前記障子開閉装置４０を隠蔽している。前記カバー材４１は、下面材４１ａと、正面材４１ｂと、上面材４１ｃとからなる断面コ字状の部材であり、前記障子開閉装置４０を取り囲むようになっており、図４に示されるように、前記カバー材４１の両端面に端部蓋４３，４３が取付けられ側部開口が封鎖されている。なお、前記カバー材４１は、前記上面材４１ｃを省略し断面Ｌ字状部材とすることも可能である。
【００４３】
前記カバー材４１及び端部蓋４３によって、前記障子開閉装置４０の下面、正面、上面及び側面が覆われることによって、窓の下方側から目視した際、下枠又は無目の室内側に突出して設けられた前記障子開閉装置４０が見えないようになり見栄えが良好となる。さらに、開窓時（自然換気状態時）に前記障子開閉装置４０に塵や埃が付着したり、虫などが侵入するのを防止することができる。
【００４４】
次いで、図１７に第２形態例を示す。本第２形態例は、前記上面材４１ｃに網戸下端側固定部４５を設け、膳板４２によって囲まれた空間内に網戸４４を設けるようにしたものである。網戸下端側固定部４５は、上面材４１ｃの室外側端部上面に断面Ｌ字状の網戸下端側固定金具４６をビス４７によって固定したものである。上部側膳板４２にも同じく断面Ｌ字状の網戸上端側固定金具４８を固定し、網戸４４の上框４４ａ及び下框４４ｂをそれぞれ前記網戸上端側固定金具４８及び網戸下端側固定金具４６にビス止めによって固定する。
【００４５】
ところで、横方向に障子３，３…を連接した連窓窓の場合、図１８に示されるように、縦骨５０が室外側寄りに位置している場合は、横方向にカバー材４１を連続させて配置し、側部開口を端部蓋４３，４３によって封鎖するようにすればよい。また、図１９に示されるように、中間の縦部材が方立方式の場合は、端部障子については、カバー材４１の一方側端面に端部蓋４３を取付け、他方側端面を方立５１の側面によって塞ぐようにし、中間部障子については、カバー材４１の一方側端面を方立５１の側面によって塞ぎ、かつ他方側端面を方立５１の側面によって塞ぐようにすればよい。
【符号の説明】
【００４６】
１…自然換気用窓、２…窓枠、３…障子、４…上部側アーム、５…下部側アーム、９…滑車、１０…ワイヤ、１１…バネ部材、１２…上下位置調整機構、１３…送りネジ部材、１４…ナット状部材、１５…スライド部材、１７…煽り止め装置、１８…下枠側金具、１９…下框側金具、２０…アーム部材、２３…スライドガイド、２４…第１バネ部材、２５…第２バネ部材、２６…スライダー、４０…障子開閉装置、４１…カバー材、４２…膳板、４３…端部蓋、４４…網戸、４５…網戸下端側固定部
【図１】
2011026790.tif 000003
【図２】
2011026790.tif 000004
【図３】
2011026790.tif 000005
【図４】
2011026790.tif 000006
【図５】
2011026790.tif 000007
【図６】
2011026790.tif 000008
【図７】
2011026790.tif 000009
【図８】
2011026790.tif 000010
【図９】
2011026790.tif 000011
【図１０】
2011026790.tif 000012
【図１１】
2011026790.tif 000013
【図１２】
2011026790.tif 000014
【図１３】
2011026790.tif 000015
【図１４】
2011026790.tif 000016
【図１５】
2011026790.tif 000017
【図１６】
2011026790.tif 000018
【図１７】
2011026790.tif 000019
【図１８】
2011026790.tif 000020
【図１９】
2011026790.tif 000021